(57)【要約】【課題】アパートやマンション等の比較的狭い住宅においても、場所を取ることなく飾ることができ、移動の際も容易に持ち運ぶことのできる慶弔用盛篭であって、選択する生花の種類に応じて外観上も豪華で多様性のある盛篭を提供する。壁掛け用の盛篭を提供する。【解決手段】盛皿の上部所定位置に支持体を付設し、該支持体にＳ字型フックの一端を掛止するとともに、該Ｓ字型フックの他端は壁等の掛止部に掛止可能とし、盛皿の周囲を、矢羽根、三枚葉とともに生花で装飾することを特徴とする。【選択図】図６
0003120837.tif 000002
【実用新案登録請求の範囲】
【請求項１】
葬儀用の菓子や果物等を盛り付ける盛皿の上部所定位置に支持体を付設し、該支持体にＳ字型フックの一端を掛止するとともに、該Ｓ字型フックの他端は壁等の掛止部に掛止可能としたことを特徴とする壁掛用花盛籠。
【請求項２】
葬儀用の菓子や果物等を盛り付けた盛皿の周囲を、矢羽根、三枚葉とともに生花で装飾することを特徴とする請求項１記載の壁掛用花盛篭。
【考案の詳細な説明】
【技術分野】
【０００１】
本考案は、慶弔時に供物として飾られる、菓子や果物、又は缶詰等を盛り付けた盛皿の周りを造花等で装飾した盛篭に関するものである。
【背景技術】
【０００２】
従来、慶弔時には多くの花環と共に、菓子や果物、又は缶詰等が盛り付けられた盛篭が供物として飾られている。この盛篭は、中空の円筒状の台座の上に、円状の盛皿が所定の傾斜を有して取り付けられ、盛皿には菓子や果物等の供物が盛り付けられ、その周囲は造花等で飾られ、盛皿上部等の所定の位置に送り主が書かれた矢立が取り付けられたものがよく知られている。
【０００３】
ところが、従来の盛篭は、台座の部分である程度の場所を取ってしまうので、住宅が狭くなっている近年の住宅事情から、もっとコンパクトにしたいという要望があった。また、近年は斎場で葬儀を行うことが増えてきており、その際は盛篭を移動しなければならない場合もあり、手間がかかるという問題もあり、盛篭を備えるということが敬遠されがちであった。しかし、慶弔時に盛篭を備えるという風習は大事にするべきである。
【０００４】
そこで最近は、台座等を折り畳んでコンパクトに収納することで移動時の手間を省くことのできる盛篭も開示されているが、場所を取ってしまうという問題は解決されていない。
【特許文献１】特開２０００−１４５３１号公報
【考案の開示】
【考案が解決しようとする課題】
【０００５】
本考案が解決しようとする課題は、コンパクトで場所を取らず、アパートやマンション等の室内にも飾ることのできる、また、移動の際の手間も省くことのできる慶弔用の盛篭を提供することである。
【課題を解決するための手段】
【０００６】
上記課題に鑑み、本考案は、請求項１において、菓子や果物等の供物を盛り付けた盛皿の周縁部を造花等で飾りつけた盛篭において、盛皿の上部所定位置に支持体を付設し、該支持体にＳ字型フックの一端を掛止することで、該Ｓ字型フックの他端は壁等の掛止部に掛止可能としたことを特徴とする。
【０００７】
また、請求項２は、前記盛篭において、菓子や果物等の供物を盛り付けた盛皿の周囲を、矢羽根、三枚葉とともに生花で装飾することで外観を豪華にしたことを特徴とする。
【考案の効果】
【０００８】
本考案の盛篭は、室内の壁等や花環の脚部に吊ることができるので、アパートやマンション等の比較的狭い住宅においても、場所を取ることなく飾ることが可能であり、また、移動の際も容易に持ち運ぶことが可能である。また、装飾にはダリア等の生花を飾りつけるため、外観上も豪華であり、生花の種類に応じて多様なデザインの盛篭を提供することが可能である。
【考案を実施するための最良の形態】
【０００９】
以下、本考案の実施の形態を、図面を参照して説明する。図１は本考案の盛皿部を示した背面斜視図、図２はその側面断面図、図３は本考案の盛皿部にビニール材とクッション材を敷き詰めた状態を示した正面図、図４は図３の盛皿部に供物を盛り付けた状態を示した正面図、図５は図４の盛皿部の周縁部を装飾した状態を示した正面図、図６は本考案の壁掛用花盛篭の第一実施例を示した正面図、図７は本考案の第二実施例を示した正面図である。
【実施例１】
【００１０】
図１及び図２に示すように、本考案の壁掛用花盛篭５において、菓子や果物等の供物が盛り付けられる盛皿１は、前面が開口状である箱体であって、該盛皿１の上部所定位置に木材からなる支持体２が針金等によって固定される。さらに、盛皿１の開口部周縁の背面部にはリング部材４が紐１５によって盛皿１に固定される。尚、盛皿の形状は矩形に限らず、円状のものであってもよい。
【００１１】
前記支持体２にはＳ字型フック３の一端が掛止されるとともに、該Ｓ字型フック３の他端は壁等の掛止部に掛止されることで、本考案の壁掛用花盛篭が壁等に飾られる。
【００１２】
図３及び図４に示すように、盛皿１の凹部底面には、ビニール材１７が敷設されるとともに、該ビニール材１７上にクッション材１６が戴置され、盛皿１とクッション材１６との隙間にはビニール製のパッキン材１１が隙間なく充填され、該パッキン材１１上に菓子や果物、又は缶詰等の供物６が盛り付けられ、さらに盛皿１と供物６を含む全体がビニール材で覆われて被覆固定される。
【００１３】
尚、クッション材１６の代わりに、盛皿１の凹部形状に係合させた発砲樹脂を使用し、その上に供物を盛り付け、隙間をパッキン材で充填した後、全体をビニール材で被覆固定する構成としてもよい。
【００１４】
図５に示すように、供物６が盛られた盛皿１の周囲は、矢羽根７、三枚葉８とともにダリア等の生花９が飾られ、さらに上部には送り主が書かれた矢立１０が取り付けられて全体の装飾がなされる。
【００１５】
図６は、本考案の壁掛用花盛篭５の第一実施例を示したものであり、Ｓ字型フック３を壁の係止部に係止することで、壁に本考案の壁掛用花盛篭を飾ることができる。このようにすれば、アパートやマンション等の比較的狭い住宅においても、場所を取ることなく飾ることが可能とであり、また移動も容易にすることが可能である。
【００１６】
図７は、本考案の壁掛用花盛篭５の第二実施例を示したものであり、脚部１３を有した従来の盛篭又は花環において、Ｓ字型フック３を脚部１３に係止することで、場所を取らずに本考案の壁掛用花盛篭５を飾ることが可能である。
【図面の簡単な説明】
【００１７】
【図１】本考案の盛皿部を示した背面斜視図である。
【図２】本考案の盛皿部を示した側面断面図である。
【図３】本考案の盛皿部にビニール材とクッション材を敷き詰めた状態を示した正面図である。
【図４】図３の盛皿部に供物を盛り付けた状態を示した正面図である。
【図５】図４の盛皿部の周縁部を装飾した状態を示した正面図である。
【図６】本考案の第一実施例を示した正面図である。
【図７】本考案の第二実施例を示した正面図である。
【符号の説明】
【００１８】
１    盛皿
２    支持体
３    Ｓ字型フック
５    盛篭
６    供物
７    矢羽根
８    三枚葉
９    ダリア
１１    壁
【図１】
0003120837.tif 000003
【図２】
0003120837.tif 000004
【図３】
0003120837.tif 000005
【図４】
0003120837.tif 000006
【図５】
0003120837.tif 000007
【図６】
0003120837.tif 000008
【図７】
0003120837.tif 000009